(57)【特許請求の範囲】
【請求項１】
マルチアンテナ無線通信システムにおいてハイブリッド自動再送要求（ＨＡＲＱ）確認応答（ＡＣＫ／ＮＡＣＫ）を符号化するために、４つ以上の送信アンテナを用いる多入力多出力（ＭＩＭＯ）モードで構成されるユーザ機器（ＵＥ）により実行される方法であって、
３つ以上の情報トランスポートブロックが使用される場合、情報トランスポートブロックに応答して送出されるＨＡＲＱ−ＡＣＫ／ＮＡＣＫと別の情報トランスポートブロックに応答して送出されるＨＡＲＱ−ＡＣＫ／ＮＡＣＫとをバンドル又は共同表現するステップ（Ｓ１；Ｓ１１）と、
前記バンドルＨＡＲＱ−ＡＣＫ／ＮＡＣＫ情報を符号化するステップ（Ｓ２；Ｓ１２）と、
を備え、
ランク３又はランク４に対応して３つ又は４つの情報トランスポートブロックが使用される場合、第２の情報トランスポートブロックに対するＡＣＫ／ＮＡＣＫが第３の情報トランスポートブロックに対するＡＣＫ／ＮＡＣＫとバンドルされ、
前記第２の情報トランスポートブロックに対するＡＣＫと前記第３の情報トランスポートブロックに対するＡＣＫとがＡＣＫとして共同表現又はバンドルされ、前記第２の情報トランスポートブロック及び前記第３の情報トランスポートブロックに対するＡＣＫ−ＮＡＣＫ、ＮＡＣＫ−ＡＣＫ及びＮＡＣＫ−ＮＡＣＫの組み合わせがそれぞれＮＡＣＫとして共同表現又はバンドルされることを特徴とする方法。
【請求項２】
ネットワークノードへのアップリンク送信におけるＨＡＲＱ確認応答を符号化するためのものであり、前記ネットワークノードへの前記アップリンク送信において前記符号化されたバンドルＨＡＲＱ−ＡＣＫ／ＮＡＣＫ情報を送信するステップ（Ｓ１３）を更に備えることを特徴とする請求項１記載の方法。
【請求項３】
前記アップリンク送信は、高速専用物理制御チャネル（ＨＳ−ＤＰＣＣＨ）上で実行されることを特徴とする請求項２記載の方法。
【請求項４】
最大で４つの情報トランスポートブロックが同時に処理される４ブランチ多入力多出力（ＭＩＭＯ）システムに対する符号化を達成するために実行されることを特徴とする請求項１記載の方法。
【請求項５】
前記バンドルＨＡＲＱ−ＡＣＫ／ＮＡＣＫ情報は、既存のＭＩＭＯコードブックを使用して符号化されることを特徴とする請求項４記載の方法。
【請求項６】
前記既存のＭＩＭＯコードブックは、最大で２つの送信アンテナ、すなわち最大で２つのスケジューリングされたトランスポートブロックのＨＡＲＱ−ＡＣＫに対する既存のＭＩＭＯコードブックであることを特徴とする請求項５記載の方法。
【請求項７】
前記第２の情報トランスポートブロックに対するＡＣＫ／ＮＡＣＫは、前記第３の情報トランスポートブロックに対するＡＣＫ／ＮＡＣＫと第１の単一ＡＣＫ／ＮＡＣＫとしてバンドルされ、これは、高速ダウンリンクパケットアクセス（ＨＳＤＰＡ）に対するリリース７ＭＩＭＯ規格に従う１つから２つの送信アンテナに対する前記既存のＭＩＭＯコードブックの第２の又はセカンダリトランスポートブロックカラムに対する応答に従って符号化されることを特徴とする請求項１記載の方法。
【請求項８】
ランク４に対応して４つの情報トランスポートブロックが使用される場合、第１の情報トランスポートブロックに対するＡＣＫ／ＮＡＣＫが第４の情報トランスポートブロックに対するＡＣＫ／ＮＡＣＫとバンドルされることを特徴とする請求項１から７のいずれか１項に記載の方法。
【請求項９】
前記第１の情報トランスポートブロックに対するＡＣＫ／ＮＡＣＫは、前記第４の情報トランスポートブロックに対するＡＣＫ／ＮＡＣＫと第２の単一ＡＣＫ／ＮＡＣＫとしてバンドルされ、これは、高速ダウンリンクパケットアクセス（ＨＳＤＰＡ）に対するリリース７ＭＩＭＯ規格に従う１つから２つの送信アンテナに対する前記既存のＭＩＭＯコードブックの第１の又はプライマリトランスポートブロックカラムに対する応答に従って符号化されることを特徴とする請求項８記載の方法。
【請求項１０】
前記第１の情報トランスポートブロックに対するＡＣＫと前記第４の情報トランスポートブロックに対するＡＣＫとがＡＣＫとして共同表現又はバンドルされ、前記第１の情報トランスポートブロック及び前記第４の情報トランスポートブロックに対するＡＣＫ−ＮＡＣＫ、ＮＡＣＫ−ＡＣＫ及びＮＡＣＫ−ＮＡＣＫの組み合わせがそれぞれＮＡＣＫとして共同表現又はバンドルされることを特徴とする請求項８又は９記載の方法。
【請求項１１】
ＨＡＲＱ確認応答メッセージは、以下のテーブル
0005974182.tif 000048
0005974182.tif 000049
に示すように、w0, w1,…w9で示す１０ビットに符号化されることを特徴とする請求項１から１０のいずれか１項に記載の方法。
【請求項１２】
前記マルチアンテナ無線通信システムは、高速ダウンリンクパケットアクセス（ＨＳＤＰＡ）システムであることを特徴とする請求項１から１１のいずれか１項に記載の方法。
【請求項１３】
マルチアンテナ無線通信システムにおいて高速専用物理制御チャネル（ＨＳ−ＤＰＣＣＨ）に対するハイブリッド自動再送要求（ＨＡＲＱ）確認応答（ＡＣＫ／ＮＡＣＫ）を符号化するために、４つ以上の送信アンテナを用いる多入力多出力（ＭＩＭＯ）モードで構成されるユーザ機器（ＵＥ）により実行される方法であって、
３つ又は４つのトランスポートブロックが使用される場合、
第２のトランスポートブロックに対するＡＣＫと第３のトランスポートブロックに対するＡＣＫとをＡＣＫとして共同表現するステップ（Ｓ２１）と、
前記第２のトランスポートブロック及び前記第３のトランスポートブロックに対するＡＣＫ−ＮＡＣＫ、ＮＡＣＫ−ＡＣＫ及びＮＡＣＫ−ＮＡＣＫの組み合わせをそれぞれＮＡＣＫとして共同表現するステップ（Ｓ２２）と、
４つの情報トランスポートブロックが使用される場合、
第１のトランスポートブロックに対するＡＣＫと第４のトランスポートブロックに対するＡＣＫとをＡＣＫとして共同表現するステップ（Ｓ３１）と、
前記第１のトランスポートブロック及び前記第４のトランスポートブロックに対するＡＣＫ−ＮＡＣＫ、ＮＡＣＫ−ＡＣＫ及びＮＡＣＫ−ＮＡＣＫの組み合わせをそれぞれＮＡＣＫとして共同表現するステップ（Ｓ３２）と、
を備えることを特徴とする方法。
【請求項１４】
マルチアンテナ無線通信システムにおけるユーザ機器（ＵＥ）（１２１）であって、
４つ以上の送信アンテナを用いる多入力多出力（ＭＩＭＯ）モードで構成され、
３つ以上のトランスポートブロックが使用される場合、トランスポートブロックに応答して送出されるハイブリッド自動再送要求（ＨＡＲＱ）確認応答（ＡＣＫ／ＮＡＣＫ）と別のトランスポートブロックに応答して送出されるＨＡＲＱ−ＡＣＫ／ＮＡＣＫとをバンドル又は共同表現するように構成され、前記バンドルＨＡＲＱ−ＡＣＫ／ＮＡＣＫ情報を符号化するように構成された処理回路網（１００２）を備え、
前記ユーザ機器（１２１）は、ランク３又はランク４に対応して３つ又は４つの情報トランスポートブロックが使用される場合、第２の情報トランスポートブロックに対するＡＣＫ／ＮＡＣＫと第３の情報トランスポートブロックに対するＡＣＫ／ＮＡＣＫとをバンドルするように構成され、
前記ユーザ機器（１２１）は、前記第２の情報トランスポートブロックに対するＡＣＫと前記第３の情報トランスポートブロックに対するＡＣＫとをＡＣＫとしてバンドルし、前記第２の情報トランスポートブロック及び前記第３の情報トランスポートブロックに対するＡＣＫ−ＮＡＣＫ、ＮＡＣＫ−ＡＣＫ及びＮＡＣＫ−ＮＡＣＫの組み合わせをそれぞれＮＡＣＫとしてバンドルするように構成されることを特徴とするユーザ機器。
【請求項１５】
前記ユーザ機器（１２１）は、ネットワークノードへのアップリンク送信において前記符号化されたバンドルＨＡＲＱ−ＡＣＫ／ＮＡＣＫ情報を送信するように構成された無線回路網（１００１）を更に備えることを特徴とする請求項１４記載のユーザ機器。
【請求項１６】
前記無線回路網（１００１）は、高速専用物理制御チャネル（ＨＳ−ＤＰＣＣＨ）上での前記アップリンク送信において前記符号化されたバンドルＨＡＲＱ−ＡＣＫ／ＮＡＣＫ情報を送信するように構成されることを特徴とする請求項１５記載のユーザ機器。
【請求項１７】
前記ユーザ機器（１２１）は、既存のＭＩＭＯコードブックを使用して前記バンドルＨＡＲＱ−ＡＣＫ／ＮＡＣＫ情報を符号化するように構成されることを特徴とする請求項１４記載のユーザ機器。
【請求項１８】
前記ユーザ機器（１２１）は、最大で２つの送信アンテナ、すなわち最大で２つのスケジューリングされたトランスポートブロックのＨＡＲＱ−ＡＣＫに対する既存のＭＩＭＯコードブックを使用して前記バンドルＨＡＲＱ−ＡＣＫ／ＮＡＣＫ情報を符号化するように構成されることを特徴とする請求項１７記載のユーザ機器。
【請求項１９】
前記ユーザ機器（１２１）は、前記第２の情報トランスポートブロックに対するＡＣＫ／ＮＡＣＫと前記第３の情報トランスポートブロックに対するＡＣＫ／ＮＡＣＫとを第１の単一ＡＣＫ／ＮＡＣＫとしてバンドルするように構成され、これは、高速ダウンリンクパケットアクセス（ＨＳＤＰＡ）に対するリリース７ＭＩＭＯ規格に従う１つから２つの送信アンテナに対する前記既存のＭＩＭＯコードブックの第２の又はセカンダリトランスポートブロックカラムに対する応答に従って符号化されることを特徴とする請求項１４記載のユーザ機器。
【請求項２０】
前記ユーザ機器（１２１）は、ランク４に対応して４つの情報トランスポートブロックが使用される場合、第１の情報トランスポートブロックに対するＡＣＫ／ＮＡＣＫと第４の情報トランスポートブロックに対するＡＣＫ／ＮＡＣＫとをバンドルするように構成されることを特徴とする請求項１４から１９のいずれか１項に記載のユーザ機器。
【請求項２１】
前記ユーザ機器（１２１）は、前記第１の情報トランスポートブロックに対するＡＣＫ／ＮＡＣＫと前記第４の情報トランスポートブロックに対するＡＣＫ／ＮＡＣＫとを第２の単一ＡＣＫ／ＮＡＣＫとしてバンドルするように構成され、これは、高速ダウンリンクパケットアクセス（ＨＳＤＰＡ）に対するリリース７ＭＩＭＯ規格に従う１つから２つの送信アンテナに対する前記既存のＭＩＭＯコードブックの第１の又はプライマリトランスポートブロックカラムに対する応答に従って符号化されることを特徴とする請求項２０記載のユーザ機器。
【請求項２２】
前記ユーザ機器（１２１）は、前記第１の情報トランスポートブロックに対するＡＣＫと前記第４の情報トランスポートブロックに対するＡＣＫとをＡＣＫとしてバンドルし、前記第１の情報トランスポートブロック及び前記第４の情報トランスポートブロックに対するＡＣＫ−ＮＡＣＫ、ＮＡＣＫ−ＡＣＫ及びＮＡＣＫ−ＮＡＣＫの組み合わせをそれぞれＮＡＣＫとしてバンドルするように構成されることを特徴とする請求項２０又は２１記載のユーザ機器。
【請求項２３】
前記ユーザ機器（１２１）は、以下のテーブル
0005974182.tif 000050
0005974182.tif 000051
に示すように、ＨＡＲＱ確認応答メッセージをw0, w1,…w9で示す１０ビットに符号化するように構成されることを特徴とする請求項１４から２２のいずれか１項に記載のユーザ機器。
【請求項２４】
マルチアンテナ無線通信システムにおいて、高速専用物理制御チャネル（ＨＳ−ＤＰＣＣＨ）に対するハイブリッド自動再送要求（ＨＡＲＱ）確認応答（ＡＣＫ／ＮＡＣＫ）を符号化するように構成されたユーザ機器（ＵＥ）（１２１）であって、
４つ以上の送信アンテナを用いる多入力多出力ＭＩＭＯモードで構成され、
３つ又は４つのトランスポートブロックが使用される場合、第２のトランスポートブロックに対するＡＣＫと第３のトランスポートブロックに対するＡＣＫとをＡＣＫとして共同表現し、前記第２のトランスポートブロック及び前記第３のトランスポートブロックに対するＡＣＫ−ＮＡＣＫ、ＮＡＣＫ−ＡＣＫ及びＮＡＣＫ−ＮＡＣＫの組み合わせをそれぞれＮＡＣＫとして共同表現するように構成され、
４つの情報トランスポートブロックが使用される場合、第１のトランスポートブロックに対するＡＣＫと第４のトランスポートブロックに対するＡＣＫとをＡＣＫとして共同表現し、前記第１のトランスポートブロック及び前記第４のトランスポートブロックに対するＡＣＫ−ＮＡＣＫ、ＮＡＣＫ−ＡＣＫ及びＮＡＣＫ−ＮＡＣＫの組み合わせをそれぞれＮＡＣＫとして共同表現するように構成されることを特徴とするユーザ機器（１２１）。
【請求項２５】
マルチアンテナ無線通信システムにおいて、４つ以上の送信アンテナを用いる多入力多出力（ＭＩＭＯ）モードで構成されるユーザ機器（ＵＥ）から少なくとも２つのトランスポートブロックに対するバンドルＨＡＲＱ−ＡＣＫ／ＮＡＣＫ情報を受信するネットワークノードにより実行される方法であって、
３つのトランスポートブロックが使用される場合、第２のトランスポートブロック及び第３のトランスポートブロックに対する第１のバンドルＡＣＫ／ＮＡＣＫを受信するステップ（Ｓ１０１）と、
４つのトランスポートブロックが使用される場合、第２のスケジューリングされたトランスポートブロック及び第３のスケジューリングされたトランスポートブロックに対する第１のバンドルＡＣＫ／ＮＡＣＫと第１のトランスポートブロック及び第４のトランスポートブロックに対する第２のバンドルＡＣＫ／ＮＡＣＫとを受信するステップ（Ｓ１０２）と、
を備えることを特徴とする方法。
【請求項２６】
４つ以上の送信アンテナを用いる多入力多出力（ＭＩＭＯ）モードで構成されるユーザ機器（ＵＥ）から少なくとも２つのトランスポートブロックに対するバンドルＨＡＲＱ−ＡＣＫ／ＮＡＣＫ情報を受信するように構成されるマルチアンテナ無線通信システムにおけるネットワークノード（１１０）であって、
３つのトランスポートブロックが使用される場合、第２のトランスポートブロック及び第３のトランスポートブロックに対する第１の単一ＡＣＫ／ＮＡＣＫを受信するように構成され、
４つのトランスポートブロックが使用される場合、第２のスケジューリングされたトランスポートブロック及び第３のスケジューリングされたトランスポートブロックに対する第１の単一ＡＣＫ／ＮＡＣＫと第１のトランスポートブロック及び第４のトランスポートブロックに対する第２の単一ＡＣＫ／ＮＡＣＫとを受信するように構成されることを特徴とするネットワークノード（１１０）。
【請求項２７】
処理回路により実行される場合に、マルチアンテナ無線通信システムにおいてハイブリッド自動再送要求（ＨＡＲＱ）確認応答（ＡＣＫ／ＮＡＣＫ）を符号化するように構成されたコンピュータプログラム（１００４）であって、
３つ以上の情報トランスポートブロックが使用される場合、情報トランスポートブロックに応答して送出される前記ＨＡＲＱ−ＡＣＫ／ＮＡＣＫと別の情報トランスポートブロックに応答して送出される前記ＨＡＲＱ−ＡＣＫ／ＮＡＣＫとをバンドル又は共同表現するように構成されたコンピュータプログラムコードであって、
ランク３又はランク４に対応して３つ又は４つの情報トランスポートブロックが使用される場合、第２の情報トランスポートブロックに対するＡＣＫ／ＮＡＣＫが第３の情報トランスポートブロックに対するＡＣＫ／ＮＡＣＫとバンドルされ、
前記第２の情報トランスポートブロックに対するＡＣＫと前記第３の情報トランスポートブロックに対するＡＣＫとがＡＣＫとして共同表現又はバンドルされ、前記第２の情報トランスポートブロック及び前記第３の情報トランスポートブロックに対するＡＣＫ−ＮＡＣＫ、ＮＡＣＫ−ＡＣＫ及びＮＡＣＫ−ＮＡＣＫの組み合わせがそれぞれＮＡＣＫとして共同表現又はバンドルされる、コンピュータプログラムコードと、
前記バンドルＨＡＲＱ−ＡＣＫ／ＮＡＣＫ情報を符号化するように構成されたコンピュータプログラムコードと、
を備えることを特徴とするコンピュータプログラム（１００４）。
【請求項２８】
請求項２７記載のコンピュータプログラム（１００４）を含むコンピュータ可読媒体（１００３）。
【発明の詳細な説明】
【技術分野】
【０００１】
本発明は、ネットワークノード、ユーザ機器及びそれらにおける方法に関する。特に、本発明は、マルチアンテナ無線通信システムにおけるハイブリッド自動再送要求（ＨＡＲＱ）確認応答（ＡＣＫ／ＮＡＣＫ）の符号化に関する。
【背景技術】
【０００２】
ＩＭＴ−Ａ（Ｉｎｔｅｒｎａｔｉｏｎａｌ  Ｍｏｂｉｌｅ  Ｔｅｌｅｃｏｍｍｕｎｉｃａｔｉｏｎｓ  Ａｄｖａｎｃｅｄ）により設定された要件を満たすために、ｌｏｎｇ  ｔｅｒｍ  ＨＳＰＡ（高速パケットアクセス）ｅｖｏｌｕｔｉｏｎに対していくつかの新規の特徴が追加される。これらの新規の特徴の主な目的は、平均スペクトル効率を向上することである。ダウンリンクスペクトル効率を向上する１つの可能な技術は、４ブランチ多入力多出力（ＭＩＭＯ）に対するサポートを導入することであり、すなわち、最大で４つの送信アンテナ及び受信アンテナを利用して、空間多重化利得を増加し且つ向上されたビームフォーミング性能を提供することである。現在、４ブランチＭＩＭＯを使用することにより、信号対雑音比（ＳＮＲ）の高いユーザに対して最大で８４Ｍｂｐｓ／５ＭＨｚの搬送波が提供され、ＳＮＲの低いユーザに対する有効範囲が向上される。
【０００３】
現在の高速ダウンリンクパケットアクセス（ＨＳＤＰＡ）システム（リリース７〜１０）は、最大で２ブランチＭＩＭＯをサポートし、すなわち、ネットワークノードにおいて最大で２つの送信アンテナをサポートする。これらのＨＳＤＰＡシステムの場合、ユーザ機器（ＵＥ）はチャネルサウンディングからチャネルを測定し、１つのサブフレームにおいてチャネル状態情報（ＣＳＩ）を報告する。通常、当該報告は、ランク標識（ＲＩ）及びプリコーディング制御標識（ＰＣＩ）を明示的に示すチャネル品質標識（ＣＱＩ）を含む。ユーザは、サブフレーム毎に、すなわち時間送信間隔（ＴＴＩ）毎に当該報告を定期的に送出する。この場合の報告は、リリース７ＭＩＭＯに従う１つから２つの送信アンテナに対するＭＩＭＯコードブックを使用する。ネットワークノードが当該報告を受信すると、ネットワークノードは、スケジューラの測定値に基づいて、変調及び符号化、符号数、ランク及びプリコーディングチャネル標識を特定の各ＵＥに与える。
【０００４】
しかし、ＨＳＤＰＡシステムにおいて４ブランチＭＩＭＯを導入する場合、すなわち、ネットワークノードにおいて最大で４つの送信アンテナを導入する場合、ＵＥからネットワークノードにＣＱＩ／ＰＣＩ情報を送出する新規のフィードバックチャネル構造が必要とされる。これは、２つの符号語を使用する４ブランチＭＩＭＯシステムにおいて、同時に処理される可能性のある情報トランスポートブロックが最大で４つ存在するためである。これは、ネットワークノードにおいて各トランスポートブロックが復号化され且つＣＲＣ（巡回冗長検査）検査が適用されるため、ＨＡＲＱ信号伝送において最大で４つのＡＣＮ／ＮＡＣＫが存在することを更に意味する。
【０００５】
当該情報は、アップリンク信号伝送チャネル、すなわち高速専用物理制御チャネル（ＨＳ−ＤＰＣＣＨ）のサブフレーム内の第１のスロットにおいて示されるため、ＨＡＲＱ信号伝送においてＡＣＫ／ＮＡＣＫ情報を示すために４ブランチＭＩＭＯに対するＭＩＭＯコードブックが必要とされる。
【０００６】
非特許文献１は、トランスポートブロックのサイズを大きくすることで新規の大きいトランスポートブロック内に２つのトランスポートブロックが存在するようにしてリリース７のＨＡＲＱ−ＡＣＫコードブックを使用する可能性について検討している。
【０００７】
非特許文献２も、４ブランチＭＩＭＯシステムに対するＨＡＲＱ設計においてリリース７の２つの符号語及び２つのＨＡＲＱ処理に対するＨＡＲＱ−ＡＣＫコードブックを再利用する可能性を簡単に述べているが、これを実行する方法を述べていない。
【０００８】
従って、マルチアンテナ無線通信システムにおいてハイブリッド自動再送要求（ＨＡＲＱ）確認応答（ＡＣＫ／ＮＡＣＫ）を符号化する効率的な方法が一般に必要とされる。これは、例えばＭＩＭＯシステム及び同様の通信システムにおいて有用だろう。
【先行技術文献】
【非特許文献】
【０００９】
【非特許文献１】３ＧＰＰ  ＴＳＧ  ＲＡＮ  ＷＧ１  Ｍｅｅｔｉｎｇ  ＃６５、「４−ｂｒａｎｃｈ  ＭＩＭＯ  ｆｏｒ  ＨＳＤＰＡ」、２０１１年５月９〜１３日、Ｒ１−１１１７６３
【非特許文献２】３ＧＰＰ  ＴＳＧ  ＲＡＮ  ＷＧ１  Ｍｅｅｔｉｎｇ  ＃６８、「Ｆｅｅｄｂａｃｋ  Ｃｈａｎｎｅｌ  Ｄｅｓｉｇｎ  ｆｏｒ  ４  ｂｒａｎｃｈ  ＭＩＭＯ  ｓｙｓｔｅｍ」、２０１２年２月６〜１０日、Ｒ１−１２０３６１
【非特許文献３】３ＧＰＰ  ＴＳ  ２５．２１２
【発明の概要】
【００１０】
本発明の目的は、ＨＡＲＱ−ＡＣＫ／ＮＡＣＫ情報の効率的な符号化を提供し、マルチアンテナ無線通信システムにおいて高いシステム性能を維持することである。
【００１１】
第１の態様によると、マルチアンテナ無線通信システムにおいてハイブリッド自動再送要求（ＨＡＲＱ）確認応答（ＡＣＫ／ＮＡＣＫ）を符号化するためにユーザ機器ＵＥにより実行される方法が提供される。方法は、
・３つ以上の情報トランスポートブロックが使用される場合、情報トランスポートブロックに応答して送出されるＨＡＲＱ−ＡＣＫ／ＮＡＣＫと別の情報トランスポートブロックに応答して送出されるＨＡＲＱ−ＡＣＫ／ＮＡＣＫとをバンドル又は共同表現するステップと、
・バンドルＨＡＲＱ−ＡＣＫ／ＮＡＣＫ情報を符号化するステップと、
を備える。
【００１２】
このように、ランク３以上のランクに対しても、すなわち、３つ以上の同時ストリームに対するＨＡＲＱ−ＡＣＫ／ＮＡＣＫ情報が符号化される場合でも、ＨＡＲＱ−ＡＣＫ／ＮＡＣＫ情報を効率的に表すことができる。
【００１３】
第２の態様によると、マルチアンテナ無線通信システムにおいて、高速専用物理制御チャネル（ＨＳ−ＤＰＣＣＨ）に対するハイブリッド自動再送要求（ＨＡＲＱ）確認応答（ＡＣＫ／ＮＡＣＫ）を符号化するためにユーザ機器ＵＥにより実行される方法が提供される。ＵＥは、４つ以上の送信アンテナを用いる多入力多出力ＭＩＭＯモードで構成され、方法は、
３つ又は４つのトランスポートブロックが使用される場合、
・第２のトランスポートブロックに対するＡＣＫと第３のトランスポートブロックに対するＡＣＫとをＡＣＫとして共同表現するステップと、
・第２のトランスポートブロック及び第３のトランスポートブロックに対するＡＣＫ−ＮＡＣＫ、ＮＡＣＫ−ＡＣＫ及びＮＡＣＫ−ＮＡＣＫの組み合わせをそれぞれＮＡＣＫとして共同表現するステップと、
４つの情報トランスポートブロックが使用される場合、
・第１のトランスポートブロックに対するＡＣＫと第４のトランスポートブロックに対するＡＣＫとをＡＣＫとして共同表現するステップと、
・第１のトランスポートブロック及び第４のトランスポートブロックに対するＡＣＫ−ＮＡＣＫ、ＮＡＣＫ−ＡＣＫ及びＮＡＣＫ−ＮＡＣＫの組み合わせをそれぞれＮＡＣＫとして共同表現するステップと、
を備える。
【００１４】
第３の態様によると、マルチアンテナ無線通信システムにおけるユーザ機器ＵＥが提供される。ＵＥは、３つ以上のトランスポートブロックが使用される場合、トランスポートブロックに応答して送出されるハイブリッド自動再送要求（ＨＡＲＱ）確認応答（ＡＣＫ／ＮＡＣＫ）と別のトランスポートブロックに応答して送出されるＨＡＲＱ−ＡＣＫ／ＮＡＣＫとをバンドル又は共同表現するように構成された処理回路網を備える。
【００１５】
第４の態様によると、マルチアンテナ無線通信システムにおいて、高速専用物理制御チャネル（ＨＳ−ＤＰＣＣＨ）に対するハイブリッド自動再送要求（ＨＡＲＱ）確認応答（ＡＣＫ／ＮＡＣＫ）を符号化するように構成されたユーザ機器ＵＥが提供される。ＵＥは、４つ以上の送信アンテナを用いる多入力多出力ＭＩＭＯモードで構成される。
・ＵＥは、３つ又は４つのトランスポートブロックが使用される場合、第２のトランスポートブロックに対するＡＣＫと第３のトランスポートブロックに対するＡＣＫとをＡＣＫとして共同表現し、第２のトランスポートブロック及び第３のトランスポートブロックに対するＡＣＫ−ＮＡＣＫ、ＮＡＣＫ−ＡＣＫ及びＮＡＣＫ−ＮＡＣＫの組み合わせをそれぞれＮＡＣＫとして共同表現するように構成される。
・ＵＥは、４つの情報トランスポートブロックが使用される場合、第１のトランスポートブロックに対するＡＣＫと第４のトランスポートブロックに対するＡＣＫとをＡＣＫとして共同表現し、第１のトランスポートブロック及び第４のトランスポートブロックに対するＡＣＫ−ＮＡＣＫ、ＮＡＣＫ−ＡＣＫ及びＮＡＣＫ−ＮＡＣＫの組み合わせをそれぞれＮＡＣＫとして共同表現するように構成される。
【００１６】
第５の態様によると、マルチアンテナ無線通信システムにおいてネットワークノードにより実行される方法が更に提供される。ネットワークノードは、ユーザ機器ＵＥから少なくとも２つのトランスポートブロックに対するバンドルＨＡＲＱ−ＡＣＫ／ＮＡＣＫ情報を受信する。方法は、
・３つのトランスポートブロックが使用される場合、第２のトランスポートブロック及び第３のトランスポートブロックに対する第１のバンドルＡＣＫ／ＮＡＣＫを受信するステップと、
・４つのトランスポートブロックが使用される場合、第２のスケジューリングされたトランスポートブロック及び第３のスケジューリングされたトランスポートブロックに対する第１のバンドルＡＣＫ／ＮＡＣＫと第１のトランスポートブロック及び第４のトランスポートブロックに対する第２のバンドルＡＣＫ／ＮＡＣＫとを受信するステップと、
を備える。
【００１７】
第６の態様によると、マルチアンテナ無線通信システムにおけるネットワークノードが更に提供される。ネットワークノードは、ユーザ機器ＵＥから少なくとも２つのトランスポートブロックに対するバンドルＨＡＲＱ−ＡＣＫ／ＮＡＣＫ情報を受信するように構成される。
・ネットワークノードは、３つのトランスポートブロックが使用される場合、第２のトランスポートブロック及び第３のトランスポートブロックに対する第１の単一ＡＣＫ／ＮＡＣＫを受信するように構成され、
・ネットワークノードは、４つのトランスポートブロックが使用される場合、第２のスケジューリングされたトランスポートブロック及び第３のスケジューリングされたトランスポートブロックに対する第１の単一ＡＣＫ／ＮＡＣＫと第１のトランスポートブロック及び第４のトランスポートブロックに対する第２の単一ＡＣＫ／ＮＡＣＫとを受信するように構成される。
【００１８】
第７の態様によると、処理回路により実行される場合に、マルチアンテナ無線通信システムにおいてハイブリッド自動再送要求（ＨＡＲＱ）確認応答（ＡＣＫ／ＮＡＣＫ）を符号化するように構成されたコンピュータプログラムが提供される。コンピュータプログラムは、
・３つ以上の情報トランスポートブロックが使用される場合、情報トランスポートブロックに応答して送出されるＨＡＲＱ−ＡＣＫ／ＮＡＣＫと別の情報トランスポートブロックに応答して送出されるＨＡＲＱ−ＡＣＫ／ＮＡＣＫとをバンドル又は共同表現するように構成されたコンピュータプログラムコードと、
・バンドルＨＡＲＱ−ＡＣＫ／ＮＡＣＫ情報を符号化するように構成されたコンピュータプログラムコードと、
を備える。
【００１９】
第８の態様によると、第７の態様に係るコンピュータプログラムを含むコンピュータ可読媒体において実現されるコンピュータプログラム製品が提供される。
【００２０】
このように、ＨＡＲＱ−ＡＣＫ／ＮＡＣＫ情報を効率的に符号化し、マルチアンテナ無線通信システムにおいて高いシステム性能を維持できる。
【図面の簡単な説明】
【００２１】
実施形態の上記の特徴及び利点、並びに他の特徴及び利点は、例示的な実施形態の以下の詳細な説明を読み且つ添付の図面を参照することにより、当業者には容易に明らかになるだろう。
【図１】図１は、電気通信システムにおける実施形態を概略的に示すブロック図である。
【図２】図２は、データ通信設定中にネットワークノードとユーザ機器との間で交換されるメッセージを示す信号伝送図である。
【図３】図３は、単一周波数に対するＨＳ−ＤＰＣＣＨの構造を概略的に示すブロック図である。
【図４】図４は、リリース７ＭＩＭＯに従う１つから２つの送信アンテナに対するＭＩＭＯコードブックを示すテーブルである。
【図５】図５は、ＨＳ−ＤＰＣＣＨのスロットの形式を概略的に示すブロック図である。
【図６】図６は、タイプＡの報告に対する送信図を概略的に示すブロック図である。
【図７Ａ】図７Ａは、一実施形態に係るマルチアンテナ無線通信システムにおいてＨＡＲＱ確認応答を符号化する方法の一例を概略的に示すフローチャートである。
【図７Ｂ】図７Ｂは、一実施形態に係るランク３以上のランクを用いる通信に対するＨＡＲＱ−ＡＣＫ／ＮＡＣＫフィードバックの一例を概略的に示す信号伝送図である。
【図８】図８は、一実施形態に係るネットワークノードへのアップリンク送信におけるＨＡＲＱ確認応答を符号化する方法の一例を概略的に示すフローチャートである。
【図９】図９は、一実施形態に係るマルチアンテナ無線通信システムにおいてＨＳ−ＤＰＣＣＨチャネルに対するＨＡＲＱ確認応答を符号化する方法の特定の例を概略的に示すフローチャートである。
【図１０】図１０は、１〜４つの送信アンテナに対するＭＩＭＯコードブックを示すテーブルである。
【図１１】図１１は、図１０に示す１〜４つの送信アンテナに対するＭＩＭＯコードブックの続きを示すテーブルである。
【図１２】図１２は、一実施形態に係るマルチアンテナ無線通信システムにおいてネットワークノードにより実行される方法の一例を概略的に示すフローチャートである。
【図１３】図１３は、ネットワークノードの実施形態を概略的に示すブロック図である。
【図１４】図１４は、ユーザ機器の実施形態を概略的に示すブロック図である。
【図１５】図１５は、一実施形態に係るコンピュータによる実現例の一例を概略的に示すブロック図である。
【発明を実施するための形態】
【００２２】
図面は、理解しやすいように概略的且つ簡略に示され、実施形態の理解に必要な詳細のみを示し、他の詳細は省略される。図中、同一の図中符号は同一又は対応する部分又はステップに対して使用される。
【００２３】
よりよく理解するために、通信システムの一例及びＭＩＭＯシステムへの適用の一例の簡単な概要から始めるのが有用だろう。しかし、提案された技術はそれらに限定されないことが理解されるべきである。
【００２４】
図１は、本明細書中の実施形態が実現されてもよい電気通信システム１００を示す。セルラ通信システム１００は、ＨＳＤＰＡ、ＬＴＥ（Ｌｏｎｇ  Ｔｅｒｍ  Ｅｖｏｌｕｔｉｏｎ）、広帯域符号分割多元接続（ＷＣＤＭＡ）、汎ヨーロッパデジタル移動体通信システム（ＧＳＭ）ネットワーク、何らかの３ＧＰＰセルラネットワーク、あるいは何らかのセルラネットワーク又はセルラシステム等の無線通信ネットワークである。
【００２５】
電気通信システム１００は基地局を含み、これはネットワークノードであるため、本明細書中でネットワークノード１１０と示す。本例において、ネットワークノード１１０は、例えばｅＮＢ、ｅＮｏｄｅＢ又はホームＮｏｄｅＢ、ホームｅＮｏｄｅＢ、フェムト基地局（ＢＳ）、ピコＢＳ、あるいは、例えばユーザ機器１２１等のユーザ機器又は機械型通信装置にサービスを提供できる他の何らかのネットワークユニットであってもよい。
【００２６】
ユーザ機器１２１は、ネットワークノード１１０によりサービスを提供される場合、ネットワークノード１１０を介して無線リンク１３０を通じて電気通信システム１０２内で通信するように構成される。ユーザ機器１２１は、例えば、移動端末又は無線端末、携帯電話、例えばラップトップ、パーソナルデジタルアシスタント（ＰＤＡ）又はサーフプレートと呼ぶ場合もあるタブレットコンピュータ等の無線機能を有するコンピュータ、プリンタ又はファイル記憶装置等の無線インタフェースを搭載した装置、あるいは電気通信システムにおいて無線リンクを通じて通信できる他の何らかの無線ネットワークユニットであってもよい。
【００２７】
リリース７ＭＩＭＭＯシステムにおける２ブランチＭＩＭＯに対するチャネル品質報告及びＮｏｄｅＢの手順の概要
図２は、通常のデータ通信設定中にネットワークノード１１０とＵＥ１２１との間で交換されるメッセージを示す。共通パイロットチャネル（ＣＰＩＣＨ）から、ユーザ機器１２１はチャネルを推定し且つＣＱＩ及びＰＣＩを計算してもよい。当該情報は、ハイブリッドＡＲＱ  ＡＣＫ／ＮＡＣＫと共に高速専用物理制御チャネル（ＨＳ−ＤＰＣＣＨ）を使用してネットワークノード１１０に報告される。ＨＳ−ＤＰＣＣＨの周期は１サブフレームであり、すなわち２ｍｓである。
【００２８】
図３は、単一搬送波に対するＨＳ−ＤＰＣＣＨの構造を示す。
【００２９】
２つの送信アンテナに対して、ＣＱＩは以下の式１に示すように計算される。
0005974182.tif 000002
式中、ＣＱＩは個々のレイヤ毎のチャネル品質である。
【００３０】
上記の式１から、ＣＱＩが３１未満である場合、ランク情報は１であることがわかる。これは、ユーザ機器が優先するレイヤ／ストリーム数が１であり、単一のスケジューリングされたトランスポートブロックがＨＡＲＱ−ＡＣＫにおいて使用されることを意味する。ＣＱＩが３１以上である場合、ランク情報（ＲＩ）は２である。これは、ユーザ機器が優先するレイヤ／ストリーム数が２であり、２つのスケジューリングされたトランスポートブロックがＨＡＲＱ−ＡＣＫにおいて使用されることを意味する。
【００３１】
ＰＣＩは、ランク情報に対応するコードブックのサブセットにおいて選択されるプリコーディング情報ビットである。
【００３２】
図４は、リリース７ＭＩＭＯに従う１つから２つの送信アンテナに対するＭＩＭＯコードブックのテーブルを示す（非特許文献３を参照）。リリース７ＭＩＭＯシステムにおける２ブランチＭＩＭＯ（すなわち、最大で２つの送信アンテナを使用する）においてＡＣＫ／ＮＡＣＫを表すために、当該１０ビットコードブックが図４のテーブルに示すように使用される。
【００３３】
システム性能がＡＣＫ／ＮＡＣＫ情報の影響を非常に受けやすいため、当該コードブックが開発された。その報告における誤りは、システムの性能を著しく低下させる可能性がある。従って、当該コードブックは、１０ビットフィードバック（１０２４個の組み合わせ）を使用して符号ベクトル間のハミング距離を最大にするように設計される。
【００３４】
ネットワークノード１１０が当該情報（すなわち、ハイブリッドＡＲＱ  ＡＣＫ／ＮＡＣＫ、ＣＱＩ及びＰＣＩ）を受信すると、ネットワークノード１１０は、スケジューリング後に、必要とされるチャネル化コード、変調及び符号化、プリコーディングチャネルインデックスをユーザ機器１２１に割り当てる。当該情報は、ネットワークノード１１０により高速共有制御チャネル（ＨＳ−ＳＣＣＨ）を使用してユーザ機器１２１に伝達される。ユーザ機器１１０がＨＳ−ＳＣＣＨを検出すると、物理ダウンリンク共有チャネル（ＨＳ−ＤＰＣＣＨ）を使用するデータトラフィックチャネルを介してダウンリンク送信が開始する。
【００３５】
２つの符号語を用いる４ブランチＭＩＭＯに対するチャネル品質情報（ＣＱＩ）
４ブランチＭＩＭＯの場合、ユーザ機器１２１は、フィードバックチャネルを介してネットワークノード１１０に以下を通知する必要がある。
−ＨＡＲＱ−ＡＣＫ情報（１０ビット）
−符号語毎に１つのＣＱＩ
この場合、ダウンリンク（ＤＬ）及びアップリンク（ＵＬ）における信号伝送オーバーヘッドを軽減するために２つの符号語を使用することが４ブランチＭＩＭＯに対する規格において提案されるため、２つの符号語が仮定される。従って、２つの符号語が使用される。
−ランク情報ＲＩ（２ビット）
これは、ユーザ機器１２１が優先するレイヤ／ストリーム数を示す。
−ＲＩにおけるプリコーディング制御インデックスＰＣＩ（４ビット）
【００３６】
図５は、４ブランチＭＩＭＯに対するＨＳ−ＤＰＣＣＨのスロットの形式の構造を示す。図４に示すように、ユーザ機器１２１は、ＨＡＲＱ−ＡＣＫ情報、優先されるストリーム数ＲＩに関する情報、この優先されるストリーム数ＲＩに対応するＣＱＩ及びＰＣＩをネットワークノード１１０に伝達する。
【００３７】
図６は、タイプＡの報告の場合の送信図を示す。タイプＡの報告の場合、双方の符号語に対するＣＱＩ情報を示すために８情報ビットが使用され、ランク情報ＲＩを伝達するために２情報ビットが使用され、ＰＣＩ情報を示すために４情報ビットが使用される。結果として得られる合成ＣＱＩ／ＲＩ／ＰＣＩ報告は、畳み込み符号１１を用いて符号化される。その後、これは４０個の符号化ビットを生成するためにレートマッチングされ、すなわち、パンクチャリング１２が実行される。その後、これはスプレッド係数（ＳＦ）１２８を用いてスプレッドされる（１３）。
【００３８】
図７Ａは、一実施形態に係るマルチアンテナ無線通信システムにおいてＨＡＲＱ確認応答を符号化する方法の一例を概略的に示すフローチャートである。
・ステップＳ１は、３つ以上の情報トランスポートブロックが使用される場合、情報トランスポートブロックに応答して送出されるＨＡＲＱ−ＡＣＫ／ＮＡＣＫと別の情報トランスポートブロックに応答して送出されるＨＡＲＱ−ＡＣＫ／ＮＡＣＫとをバンドル又は共同表現することを含む。
・ステップＳ２は、バンドルＨＡＲＱ−ＡＣＫ／ＮＡＣＫ情報を符号化することを含む。
【００３９】
これは、ランク３以上のランクに対応し、通信に対するストリームの数が３つ以上であることを意味する。考慮される各トランスポートブロックは、それぞれのストリームに属する。図７Ｂの信号伝送図に概略的に示すように、トランスポートブロックは、ネットワークノードから同時に「並列」送信され、それに対応してＵＥにより受信され、ＵＥは、トランスポートブロックに関するＨＡＲＱ−ＡＣＫ／ＮＡＣＫフィードバック情報を生成する。
【００４０】
この場合、提案された技術により、ランク３以上のランクの場合でも、すなわち、３つ以上の同時ストリームに対するＨＡＲＱ−ＡＣＫ／ＮＡＣＫ情報が符号化される場合でも、ＨＡＲＱ−ＡＣＫ／ＮＡＣＫ情報を効率的に表すことができるようになる。
【００４１】
従って、提案された技術により、ランク３以上のランクを使用する場合でも、マルチアンテナ無線通信システムにおいて高いシステム性能を維持できる。
【００４２】
図８は、一実施形態に係るネットワークノードへのアップリンク送信におけるＨＡＲＱ確認応答を符号化する方法の一例を概略的に示すフローチャートである。
・ステップＳ１１は、３つ以上の情報トランスポートブロックが使用される場合、情報トランスポートブロックに応答して送出されるＨＡＲＱ−ＡＣＫ／ＮＡＣＫと別の情報トランスポートブロックに応答して送出されるＨＡＲＱ−ＡＣＫ／ＮＡＣＫとをバンドル又は共同表現することを含む。
・ステップＳ１２は、バンドルＨＡＲＱ−ＡＣＫ／ＮＡＣＫ情報を符号化することを含む。
・ステップＳ１３は、ネットワークノードへのアップリンク送信において、符号化されたバンドルＨＡＲＱ−ＡＣＫ／ＮＡＣＫ情報を送信することを含む。
【００４３】
一例として、アップリンク送信は、高速専用物理制御チャネル（ＨＳ−ＤＰＣＣＨ）上で実行されてもよい。
【００４４】
例えばユーザ機器は、４つ以上の送信アンテナを用いる多入力多出力ＭＩＭＯモードで構成される。この場合、方法は、最大で４つの情報トランスポートブロックが同時に処理されてもよい４ブランチＭＩＭＯシステムに対する符号化を達成するために実行されるのが好ましい。
【００４５】
情報トランスポートブロックに応答して送出されるＨＡＲＱ−ＡＣＫ／ＮＡＣＫと別の情報トランスポートブロックに応答して送出されるＨＡＲＱ−ＡＣＫ／ＮＡＣＫとをバンドルすることにより、既存のＭＩＭＯコードブックを使用してバンドルＨＡＲＱ−ＡＣＫ／ＮＡＣＫ情報を符号化できることを発明者は認識した。当該設計の利点は、最大ハミング距離を付与するコードブックを再利用できることである。
【００４６】
一例として、既存のＭＩＭＯコードブックは、最大で２つの送信アンテナ、すなわち最大で２つのスケジューリングされたトランスポートブロックのＨＡＲＱ−ＡＣＫに対する既存のＭＩＭＯコードブックである。
【００４７】
特定の例において、ランク３又はランク４に対応して３つ又は４つの情報トランスポートブロックが使用される場合、第２の情報トランスポートブロックに対するＡＣＫ／ＮＡＣＫが第３の情報トランスポートブロックに対するＡＣＫ／ＮＡＣＫとバンドルされる。
【００４８】
例えば第２の情報トランスポートブロックに対するＡＣＫ／ＮＡＣＫが第３の情報トランスポートブロックに対するＡＣＫ／ＮＡＣＫと第１の単一ＡＣＫ／ＮＡＣＫとしてバンドルされてもよく、これは、リリース７ＭＩＭＯに従う１つから２つの送信アンテナに対する既存のＭＩＭＯコードブックの第２の又はセカンダリトランスポートブロックに対する応答に従って符号化される。
【００４９】
特に、図９に概略的に示すように、ステップＳ２１において、第２の情報トランスポートブロックに対するＡＣＫと第３の情報トランスポートブロックに対するＡＣＫとがＡＣＫとして共同表現又はバンドルされてもよく、ステップＳ２２において、第２の情報トランスポートブロック及び第３の情報トランスポートブロックに対するＡＣＫ−ＮＡＣＫ、ＮＡＣＫ−ＡＣＫ及びＮＡＣＫ−ＮＡＣＫの組み合わせがそれぞれＮＡＣＫとして共同表現又はバンドルされてもよい。
【００５０】
更に、ランク４に対応して４つの情報トランスポートブロックが使用される場合、第１の情報トランスポートブロックに対するＡＣＫ／ＮＡＣＫが第４の情報トランスポートブロックに対するＡＣＫ／ＮＡＣＫとバンドルされてもよい。
【００５１】
例えば第１の情報トランスポートブロックに対するＡＣＫ／ＮＡＣＫが第４の情報トランスポートブロックに対するＡＣＫ／ＮＡＣＫと第２の単一ＡＣＫ／ＮＡＣＫとしてバンドルされてもよく、これは、リリース７ＭＩＭＯに従う１つから２つの送信アンテナに対する既存のＭＩＭＯコードブックの第１の又はプライマリトランスポートブロックに対する応答に従って符号化される。
【００５２】
特に、図９に概略的に示すように、ステップＳ３１において、第１の情報トランスポートブロックに対するＡＣＫと第４の情報トランスポートブロックに対するＡＣＫとがＡＣＫとして共同表現又はバンドルされてもよく、ステップＳ３２において、第１の情報トランスポートブロック及び第４の情報トランスポートブロックに対するＡＣＫ−ＮＡＣＫ、ＮＡＣＫ−ＡＣＫ及びＮＡＣＫ−ＮＡＣＫの組み合わせがそれぞれＮＡＣＫとして共同表現又はバンドルされてもよい。
【００５３】
図９に示す特定の実施形態は、ＵＥが４つ以上の送信アンテナを用いる多入力多出力ＭＩＭＯモードで構成されるマルチアンテナ無線通信システムにおいて高速専用物理制御チャネル（ＨＳ−ＤＰＣＣＨ）に対するハイブリッド自動再送要求（ＨＡＲＱ）確認応答（ＡＣＫ／ＮＡＣＫ）を符号化するのに特に有用である。
【００５４】
特定の例によると、ＨＡＲＱ確認応答メッセージは、以下のテーブル１Ａに示すように、w0, w1,…w9で示す１０ビットに符号化される。
0005974182.tif 000003
0005974182.tif 000004
【００５５】
好適な例において、図９に関連して前述したように、３つ又は４つの情報トランスポートブロックが使用される場合、第２の情報トランスポートブロックに対するＡＣＫと第３の情報トランスポートブロックに対するＡＣＫとがＡＣＫとして共同表現又はバンドルされ、第２の情報トランスポートブロック及び第３の情報トランスポートブロックに対するＡＣＫ−ＮＡＣＫ、ＮＡＣＫ−ＡＣＫ及びＮＡＣＫ−ＮＡＣＫの組み合わせがそれぞれＮＡＣＫとして共同表現又はバンドルされる。４つの情報トランスポートブロックが使用される場合、第１の情報トランスポートブロックに対するＡＣＫと第４の情報トランスポートブロックに対するＡＣＫとがＡＣＫとして共同表現又はバンドルされ、第１の情報トランスポートブロック及び第４の情報トランスポートブロックに対するＡＣＫ−ＮＡＣＫ、ＮＡＣＫ−ＡＣＫ及びＮＡＣＫ−ＮＡＣＫの組み合わせがそれぞれＮＡＣＫとして共同表現又はバンドルされる。この特に有利な例において、上記のテーブル１Ａをテーブル１Ｂの以下の同等の形式で表すことができる。
0005974182.tif 000005
【００５６】
例えばマルチアンテナ無線通信システムは、高速ダウンリンクパケットアクセスＨＳＤＰＡシステムであってもよい。
【００５７】
例−４ブランチＭＩＭＯシステムに対するＨＡＲＱコードブック
上記からわかるように、４ブランチＭＩＭＯシステムに対してリリース７ＭＩＭＯと同じビット数、すなわち１０ビットを使用することが推奨されるため、リリース７ＭＩＭＯのコードブック（図４に示す）が使用されるのが好ましい。
【００５８】
しかし、４ブランチＭＩＭＯシステムにおいて、ユーザ機器１２１は最大で４つのトランスポートブロックを同時に復号化できる。当該情報の全てを１０ビットに当てはめる必要があるため、トランスポートブロック毎に１つ存在する４つのＡＣＫ／ＮＡＣＫを１０ビットにマッピングするためのＨＡＲＱコードブックを使用する必要がある。そのようなＨＡＲＱコードブックの一例を上記のテーブルに対応する図１０及び図１１に示す。
【００５９】
図１０及び図１１は、１〜４つの送信アンテナに対するＭＩＭＯコードブックのテーブルを示す。テーブルは、４ブランチＭＩＭＯシステムにより必要とされるように、最大で４つのＡＣＫ／ＮＡＣＫを１０ビット符号語で表す１つの方法を示す。
【００６０】
いずれかの符号語間のハミング距離を最大にする点でも効率的である４つのＡＣＫ／ＮＡＣＫを１０ビットにマッピングするための４ブランチＭＩＭＯシステムに対する符号化を達成することが望ましい。
【００６１】
一実施形態によると、この目的は、マルチアンテナ無線通信システムにおけるネットワークノードへのアップリンク送信においてハイブリッド自動再送要求（ＨＡＲＱ）確認応答（ＡＣＫ／ＮＡＣＫ）を符号化する方法及び対応するユーザ機器により達成される。
【００６２】
従って、マルチアンテナ無線通信システム１００におけるネットワークノード１１０へのアップリンク送信においてハイブリッド自動再送要求（ＨＡＲＱ）確認応答（ＡＣＫ／ＮＡＣＫ）を符号化するユーザ機器１２１における方法の実施形態の例を以下に説明する。
【００６３】
３つ以上のスケジューリングされた情報トランスポートブロックがネットワークノード１１０のダウンリンク送信において使用される場合、ユーザ機器１２１は、１つのスケジューリングされた情報トランスポートブロックに応答して送出されるＨＡＲＱ−ＡＣＫ／ＮＡＣＫと別のスケジューリングされた情報トランスポートブロックに応答して送出されるＨＡＲＱ−ＡＣＫ／ＮＡＣＫとをバンドルする。
【００６４】
いくつかの実施形態において、ユーザ機器１２１は、例えばリリース７ＭＩＭＯに従う最大で２つの送信アンテナ、すなわち最大で２つのスケジューリングされたトランスポートブロックのＨＡＲＱ−ＡＣＫに対する既存のＭＩＭＯコードブック等の既存のＭＩＭＯコードブックを使用して、バンドルＨＡＲＱ−ＡＣＫ／ＮＡＣＫ情報を符号化してもよい。
【００６５】
いくつかの実施形態において、ユーザ機器１２１は、ネットワークノード１１０へのアップリンク送信において、符号化されたバンドルＨＡＲＱ−ＡＣＫ／ＮＡＣＫ情報を送信してもよい。
【００６６】
いくつかの実施形態において、マルチアンテナ無線通信システム１００は、４ブランチＭＩＭＯ送信に対して構成されたＨＳＰＤＡシステムであってもよい。しかし、マルチアンテナ無線通信システム１００は、例えば８ブランチＭＩＭＯ送信等のいかなるブランチ数に対して構成されたＨＳＰＤＡシステムであってもよい。
【００６７】
またユーザ機器１２１及びネットワークノード１１０は、４ブランチＭＩＭＯ送信に対して構成されてもよく、あるいは、例えば８ブランチＭＩＭＯ送信等のいかなるブランチ数に対して構成されてもよい。従って、ユーザ機器１２１及びネットワークノード１１０は、４つ以上の送信アンテナを用いるＭＩＭＯモードで構成されてもよい。
【００６８】
いくつかの実施形態において、アップリンク送信は、アップリンク信号伝送チャネル、すなわち高速専用物理制御チャネル（ＨＳ−ＤＰＣＣＨ）上で実行される。
【００６９】
ネットワークノード１１０からのダウンリンク送信において使用される３つ以上のスケジューリングされた情報トランスポートブロックが３つのスケジューリングされた情報トランスポートブロックである場合、ランク情報（ＲＩ）は３であり、すなわち、報告はランク３を有し、ユーザ機器１２１がダウンリンク送信に対して優先するレイヤ／ストリーム数は３である。
【００７０】
いくつかの実施形態において、ネットワークノード１１０からのダウンリンク送信において使用される３つ以上のスケジューリングされた情報トランスポートブロックが３つのスケジューリングされた情報トランスポートブロックである場合、第２又はセカンダリスケジューリングされた情報トランスポートブロックに応答して送出されるＨＡＲＱ−ＡＣＫ／ＮＡＣＫは、第３又は三次のスケジューリングされた情報トランスポートブロックとバンドルされる。これは、第２のスケジューリングされた情報トランスポートブロックに対するＡＣＫ／ＮＡＣＫが第３のスケジューリングされた情報トランスポートブロックに対するＡＣＫ／ＮＡＣＫと第１の単一ＡＣＫ／ＮＡＣＫとして共同表現され、すなわちバンドルされることを意味する。その場合、第１の単一ＡＣＫ／ＮＡＣＫは、リリース７ＭＩＭＯに従う１つから２つの送信アンテナに対する既存のＭＩＭＯコードブックのセカンダリトランスポートブロックに対する応答に従って符号化されてもよい。
【００７１】
本実施形態において、第１又はプライマリにスケジューリングされた情報トランスポートブロックに応答して送出されるＨＡＲＱ−ＡＣＫ／ＮＡＣＫは、リリース７ＭＩＭＯに従う１つから２つの送信アンテナに対する既存のＭＩＭＯコードブックのプライマリトランスポートブロックに対する応答に従って符号化されてもよい。
【００７２】
いくつかの実施形態において、例えば図９のフローチャートに示すように、第２のスケジューリングされた情報トランスポートブロックに対するＡＣＫ及び第３のスケジューリングされた情報トランスポートブロックに対するＡＣＫは、第１の単一ＡＣＫ／ＮＡＣＫにおいてＡＣＫとして共同表現又はバンドルされる（ステップＳ２１）。本実施形態において、第２のスケジューリングされた情報トランスポートブロック及び第３のスケジューリングされた情報トランスポートブロックに対するＡＣＫ−ＮＡＣＫ、ＮＡＣＫ−ＡＣＫ及びＮＡＣＫ−ＮＡＣＫの組み合わせがそれぞれ、第１の単一ＡＣＫ／ＮＡＣＫにおいてＮＡＣＫとして共同表現又はバンドルされる（ステップＳ２２）。
【００７３】
ネットワークノード１１０のダウンリンク送信において使用される３つ以上のスケジューリングされた情報トランスポートブロックが４つのスケジューリングされた情報トランスポートブロックである場合、ランク情報（ＲＩ）は３であり、すなわち、報告はランク４を有し、ユーザ機器がダウンリンク送信に対して優先するレイヤ／ストリーム数は４である。
【００７４】
いくつかの実施形態において、ネットワークノード１１０のダウンリンク送信において使用される３つ以上のスケジューリングされた情報トランスポートブロックが４つのスケジューリングされた情報トランスポートブロックである場合、第２のスケジューリングされた情報トランスポートブロックに応答して送出されるＨＡＲＱ−ＡＣＫ／ＮＡＣＫは、第３のスケジューリングされた情報トランスポートブロックとバンドルされる。これは、第２のスケジューリングされた情報トランスポートブロックに対するＡＣＫ／ＮＡＣＫが第３のスケジューリングされた情報トランスポートブロックに対するＡＣＫ／ＮＡＣＫと第１の単一ＡＣＫ／ＮＡＣＫとして共同表現され、すなわちバンドルされることを意味する。その場合、第２のスケジューリングされた情報トランスポートブロック及び第３のスケジューリングされた情報トランスポートブロックに対する第１の単一ＡＣＫ／ＮＡＣＫは、リリース７ＭＩＭＯに従う１つから２つの送信アンテナに対する既存のＭＩＭＯコードブックのセカンダリトランスポートブロックに対する応答に従って符号化されてもよい。
【００７５】
本実施形態において、第１又はプライマリにスケジューリングされた情報トランスポートブロックに応答して送出されるＨＡＲＱ−ＡＣＫ／ＮＡＣＫは、第４又は四次のスケジューリングされた情報トランスポートブロックとバンドルされる。これは、第１のスケジューリングされた情報トランスポートブロックに対するＡＣＫ／ＮＡＣＫが第４のスケジューリングされた情報トランスポートブロックに対するＡＣＫ／ＮＡＣＫと第２の単一ＡＣＫ／ＮＡＣＫとして共同表現され、すなわちバンドルされることを意味する。その場合、第１のスケジューリングされた情報トランスポートブロック及び第４のスケジューリングされた情報トランスポートブロックに対する第２の単一ＡＣＫ／ＮＡＣＫは、リリース７ＭＩＭＯに従う１つから２つの送信アンテナに対する既存のＭＩＭＯコードブックのプライマリトランスポートブロックに対する応答に従って符号化されてもよい。
【００７６】
いくつかの実施形態において、例えば図９のフローチャートに示すように、第２のスケジューリングされた情報トランスポートブロックに対するＡＣＫ及び第３のスケジューリングされた情報トランスポートブロックに対するＡＣＫは、第１の単一ＡＣＫ／ＮＡＣＫにおいてＡＣＫとして共同表現又はバンドルされる（ステップＳ２１）。本実施形態において、第２のスケジューリングされた情報トランスポートブロック及び第３のスケジューリングされた情報トランスポートブロックに対するＡＣＫ−ＮＡＣＫ、ＮＡＣＫ−ＡＣＫ及びＮＡＣＫ−ＮＡＣＫの組み合わせがそれぞれ、第１の単一ＡＣＫ／ＮＡＣＫにおいてＮＡＣＫとして共同表現又はバンドルされる（ステップＳ２２）。
【００７７】
いくつかの実施形態において、上記と同様の方法で、第１のスケジューリングされた情報トランスポートブロックに対するＡＣＫ及び第４のスケジューリングされた情報トランスポートブロックに対するＡＣＫは、第２の単一ＡＣＫにおいてＡＣＫとして共同表現又はバンドルされる（ステップＳ３１）。本実施形態において、第１のスケジューリングされた情報トランスポートブロック及び第４のスケジューリングされた情報トランスポートブロックに対するＡＣＫ−ＮＡＣＫ、ＮＡＣＫ−ＡＣＫ及びＮＡＣＫ−ＮＡＣＫの組み合わせがそれぞれ、第２の単一ＡＣＫにおいてＮＡＣＫとして共同表現又はバンドルされる（ステップＳ３２）。
【００７８】
本明細書中の実施形態に従って、４ブランチＭＩＭＯシステムに対するＨＡＲＱコードブックを使用する代わりの方法を説明する。これは、いずれかの符号語間のハミング距離を最大にする点でも効率的である４つのＡＣＫ／ＮＡＣＫを１０ビットにマッピングするための４ブランチＭＩＭＯシステムに対する符号化を達成するためのものである。
【００７９】
本明細書中の実施形態は、ＨＡＲＱ−ＡＣＫ／ＮＡＣＫの信号伝送において誤りが生じる可能性が低いことを保証する。これは、ＡＣＫ／ＮＡＣＫ情報における誤りの影響を受けやすいシステムの性能を低下させないために重要である。
【００８０】
本明細書中の実施形態は、例えばリリース７ＭＩＭＯに従う１つから２つの送信アンテナに対する既存のＭＩＭＯコードブックを再利用することにより、符号語間の最大ハミング距離を提供する。これにより、ＨＡＲＱ−ＡＣＫ／ＮＡＣＫの信号伝送において誤りが生じる可能性が低くなる。
【００８１】
従って、上記によると、最大で４つのＡＣＫ／ＮＡＣＫをＨＳ−ＤＰＣＣＨの第１のスロットにおいて送信できるように表す技術が提供される。従って、マルチアンテナ無線通信システムにおけるシステム性能は維持される。
【００８２】
図１２は、一実施形態に係るマルチアンテナ無線通信システムにおいてネットワークノードにより実行される方法の一例を概略的に示すフローチャートである。ネットワークノードは、少なくとも２つのトランスポートブロックに対するバンドルＨＡＲＱ−ＡＣＫ／ＮＡＣＫ情報をユーザ機器ＵＥから受信する。方法は、
・３つのトランスポートブロックが使用される場合、第２のトランスポートブロック及び第３のトランスポートブロックに対する第１のバンドルＡＣＫ／ＮＡＣＫを受信するステップと、
・４つのトランスポートブロックが使用される場合、第２のトランスポートブロック及び第３のトランスポートブロックに対する第１のバンドルＡＣＫ／ＮＡＣＫと第１のトランスポートブロック及び第４のトランスポートブロックに対する第２のバンドルＡＣＫ／ＮＡＣＫとを受信するステップと、
を備える。
【００８３】
これは、ランク３以上のランクに対応し、最初に３つ以上の情報トランスポートブロックがネットワークノードから「並列」送信され、それに対応してＵＥにより受信され、ＵＥがトランスポートブロックに関するＨＡＲＱ−ＡＣＫ／ＮＡＣＫ情報を生成することを意味する。上記の方法は、その後、ネットワークノードがＵＥからＨＡＲＱ−ＡＣＫ／ＮＡＣＫ情報を受信する時の状況に関する。従って、ネットワークノードは、３つ以上のトランスポートブロックに関するＨＡＲＱ−ＡＣＫ／ＮＡＣＫ情報を受信するように用意される。
【００８４】
本明細書中で提示する実施形態は、図１３に示す基地局１１０等のネットワークノードを更に備えてもよい無線ネットワークにおいて使用されてもよい。無線ネットワークは、図１０に示すユーザ機器１２１を更に備えてもよい。図１３及び図１４において提供される例は非限定的な例として示されるにすぎないことが理解されるべきである。実施形態によると、ネットワークノード１１０及びユーザ機器１２１は、上記で提供した例において説明した他の何らかのノードであってもよい。
【００８５】
図１３に示すように、ネットワークノード１１０の例は、処理回路網９０３、メモリ９０２、無線回路網９０１及び少なくとも１つのアンテナを備えてもよい。処理回路網９０３は、メモリ９０２及び無線回路網９０１に接続され、無線回路網９０１はアンテナに接続される。処理回路網９０３は、ＲＦ回路網及びベースバンド処理回路網（不図示）を備えてもよい。特定の実施形態において、移動基地局、基地局制御器、中継ノード、ＮｏｄｅＢ、ｅｎｈａｎｃｅｄ  ＮｏｄｅＢ、測位ノード及び／又は他の何らかの種類の移動通信ノードにより提供されると上述した機能性の一部又は全ては、図１３に示すメモリ９０２等のコンピュータ可読媒体に格納された命令を実行する処理回路網９０３により提供されてもよい。ネットワークノード１１０は、従来のネットワークインタフェース９０４を更に備えてもよい。ネットワークノード１１０の他の実施形態は、上記で識別されるいずれかの機能性及び／又は上述の解決策をサポートするのに必要な何らかの機能性を含む追加の機能性を提供する役割を有する追加の構成要素を備えてもよい。他の実施形態において、ネットワークノードは、無線インタフェース又は無線回路網９０１を搭載しなくてもよい。
【００８６】
また、いくつかの実施形態において、ネットワークノード１１０は４ブランチＭＩＭＯ送信に対して構成されてもよい。更に、いくつかの実施形態において、ネットワークノード１１０は、例えば８ブランチＭＩＭＯ送信等のいかなるブランチ数に対して構成されてもよい。従って、ネットワークノード１１０は、例えばそれが構成されるＭＩＭＯブランチ数に等しい数の４つ以上の送信アンテナを用いるＭＩＭＯモードで構成されてもよい。
【００８７】
ネットワークノード１１０の動作及び／又はコマンドを実行するように構成された処理回路網、あるいは他の何らかのハードウェア及び／又はソフトウェアユニットは、少なくとも２つのスケジューリングされた情報トランスポートブロックに対するバンドルＨＡＲＱ−ＡＣＫ／ＮＡＣＫ情報をユーザ機器１２１から受信するように構成されてもよいことが理解されるべきである。例えばネットワークノード１１０は、３つのスケジューリングされたトランスポートブロックがネットワークノードのダウンリンク送信において使用される場合、第２のスケジューリングされた情報トランスポートブロック及び第３のスケジューリングされた情報トランスポートブロックに対する第１の単一ＡＣＫ／ＮＡＣＫを受信するように構成されてもよい。更なる例において、ネットワークノード１１０は、４つのスケジューリングされたトランスポートブロックがネットワークノードのダウンリンク送信において使用される場合、第２のスケジューリングされた情報トランスポートブロック及び第３のスケジューリングされた情報トランスポートブロックに対する第１の単一ＡＣＫ／ＮＡＣＫと第１のスケジューリングされた情報トランスポートブロック及び第４のスケジューリングされた情報トランスポートブロックに対する第２の単一ＡＣＫ／ＮＡＣＫとを受信するように更に構成されてもよい。
【００８８】
特に、ネットワークノードは、少なくとも２つのトランスポートブロックに対するバンドルＨＡＲＱ−ＡＣＫ／ＮＡＣＫ情報をユーザ機器ＵＥから受信するように構成される。本例において、
・ネットワークノードは、３つのトランスポートブロックが使用される場合、第２のトランスポートブロック及び第３のトランスポートブロックに対する第１の単一ＡＣＫ／ＮＡＣＫを受信するように構成され、
・ネットワークノードは、４つのトランスポートブロックが使用される場合、第２のスケジューリングされたトランスポートブロック及び第３のスケジューリングされたトランスポートブロックに対する第１の単一ＡＣＫ／ＮＡＣＫと第１のトランスポートブロック及び第４のトランスポートブロックに対する第２の単一ＡＣＫ／ＮＡＣＫとを受信するように構成される。
【００８９】
ユーザ機器１２１の一例を図１４において提供する。ユーザ機器１２１の例は、処理回路網１００２、メモリ１００３、無線回路網１００１及び好ましくはマルチアンテナである少なくとも１つのアンテナを備えてもよい。処理回路網１００２は、メモリ１００３及び無線回路網１００１に接続され、無線回路網１００１はアンテナに接続される。無線回路網１００１は、ＲＦ回路網及びベースバンド処理回路網（不図示）を備えてもよい。特定の実施形態において、移動通信装置又は他の形態の無線装置により提供されると上述した機能性の一部又は全ては、図１０に示すメモリ１００３等のコンピュータ可読媒体に格納された命令を実行する処理回路網１００２により提供されてもよい。ユーザ機器１２１の他の実施形態は、上記で識別されるいずれかの機能性及び／又は上述の解決策をサポートするのに必要な何らかの機能性を含む追加の機能性を提供する役割を有する追加の構成要素を備えてもよい。
【００９０】
ユーザ機器１２１の動作及び／又はコマンドを実行するように構成された処理回路網、あるいは他の何らかのハードウェア及び／又はソフトウェアユニットは、３つ以上のスケジューリングされた情報トランスポートブロックが使用される場合、１つのスケジューリングされた情報トランスポートブロックに応答して送出されるＨＡＲＱ−ＡＣＫ／ＮＡＣＫと別のスケジューリングされた情報トランスポートブロックに応答して送出されるＨＡＲＱ−ＡＣＫ／ＮＡＣＫとをバンドルするように構成されてもよいことが理解されるべきである。これは、本明細書中で説明するいずれかの実施形態に係るユーザ機器１２１により実行されてもよい。
【００９１】
特に、ＵＥは、３つ以上のトランスポートブロックが使用される場合、トランスポートブロックに応答して送出されるハイブリッド自動再送要求（ＨＡＲＱ）確認応答（ＡＣＫ／ＮＡＣＫ）と別のトランスポートブロックに応答して送出されるＨＡＲＱ−ＡＣＫ／ＮＡＣＫとをバンドル又は共同表現するように構成された処理回路網１００２を備える。
【００９２】
ＵＥ１２１は、バンドルＨＡＲＱ−ＡＣＫ／ＮＡＣＫ情報を符号化するように構成されてもよい。
【００９３】
一例として、ＵＥ１２１は、ネットワークノードへのアップリンク送信において、符号化されたバンドルＨＡＲＱ−ＡＣＫ／ＮＡＣＫ情報を送信するように構成された無線回路網１００１を更に備えてもよい。
【００９４】
例えば無線回路網１００１は、高速専用物理制御チャネル（ＨＳ−ＤＰＣＣＨ）上での前記アップリンク送信において、符号化されたバンドルＨＡＲＱ−ＡＣＫ／ＮＡＣＫ情報を送信するように構成されてもよい。
【００９５】
ＵＥ１２１は、４つ以上の送信アンテナを用いる多入力多出力（ＭＩＭＯ）モードで構成されてもよい。その場合、ＵＥ１２１は、既存のＭＩＭＯコードブックを使用してバンドルＨＡＲＱ−ＡＣＫ／ＮＡＣＫ情報を符号化するように構成されるのが好ましい。
【００９６】
例えばＵＥ１２１は、最大で２つの送信アンテナ、すなわち最大で２つのスケジューリングされたトランスポートブロックのＨＡＲＱ−ＡＣＫに対する既存のＭＩＭＯコードブックを使用してバンドルＨＡＲＱ−ＡＣＫ／ＮＡＣＫ情報を符号化するように構成されてもよい。
【００９７】
特定の例において、ＵＥ１２１は、ランク３又はランク４に対応して３つ又は４つの情報トランスポートブロックが使用される場合、第２の情報トランスポートブロックに対するＡＣＫ／ＮＡＣＫと第３の情報トランスポートブロックに対するＡＣＫ／ＮＡＣＫとをバンドルするように構成される。
【００９８】
ＵＥ１２１は、第２の情報トランスポートブロックに対するＡＣＫ／ＮＡＣＫと第３の情報トランスポートブロックに対するＡＣＫ／ＮＡＣＫとを第１の単一ＡＣＫ／ＮＡＣＫとしてバンドルするように構成されてもよく、これは、リリース７ＭＩＭＯに従う１つから２つの送信アンテナに対する既存のＭＩＭＯコードブックの第２の又はセカンダリトランスポートブロックに対する応答に従って符号化される。
【００９９】
特に、ＵＥ１２１は、第２の情報トランスポートブロックに対するＡＣＫと第３の情報トランスポートブロックに対するＡＣＫとをＡＣＫとしてバンドルし、第２の情報トランスポートブロック及び第３の情報トランスポートブロックに対するＡＣＫ−ＮＡＣＫ、ＮＡＣＫ−ＡＣＫ及びＮＡＣＫ−ＮＡＣＫの組み合わせをそれぞれＮＡＣＫとしてバンドルするように構成されてもよい。
【０１００】
更に、ＵＥ１２１は、ランク４に対応して４つの情報トランスポートブロックが使用される場合、第１の情報トランスポートブロックに対するＡＣＫ／ＮＡＣＫと第４の情報トランスポートブロックに対するＡＣＫ／ＮＡＣＫとをバンドルするように構成されてもよい。
【０１０１】
例えばＵＥ１２１は、第１の情報トランスポートブロックに対するＡＣＫ／ＮＡＣＫと第４の情報トランスポートブロックに対するＡＣＫ／ＮＡＣＫとを第２の単一ＡＣＫ／ＮＡＣＫとしてバンドルするように構成され、これは、リリース７ＭＩＭＯに従う１つから２つの送信アンテナに対する既存のＭＩＭＯコードブックの第１の又はプライマリトランスポートブロックに対する応答に従って符号化される。
【０１０２】
特に、ＵＥ１２１は、第１の情報トランスポートブロックに対するＡＣＫと第４の情報トランスポートブロックに対するＡＣＫとをＡＣＫとしてバンドルし、第１の情報トランスポートブロック及び第４の情報トランスポートブロックに対するＡＣＫ−ＮＡＣＫ、ＮＡＣＫ−ＡＣＫ及びＮＡＣＫ−ＮＡＣＫの組み合わせをそれぞれＮＡＣＫとしてバンドルするように構成されてもよい。
【０１０３】
特定の一実施形態において、ＵＥ１２１は、上記でテーブル１Ａ又は対応するテーブル１Ｂに示したように、ＨＡＲＱ確認応答メッセージをw0, w1,…w9で示す１０ビットに符号化するように構成されてもよい。
【０１０４】
特に有利な例において、ＵＥ１２１は、マルチアンテナ無線通信システムにおいて高速専用物理制御チャネル（ＨＳ−ＤＰＣＣＨ）に対するハイブリッド自動再送要求（ＨＡＲＱ）確認応答（ＡＣＫ／ＮＡＣＫ）を符号化するように構成される。本例において、ＵＥ１２１は、４つ以上の受信アンテナを用いる多入力多出力（ＭＩＭＯ）モードで構成される。
・ＵＥ１２１は、３つ又は４つのトランスポートブロックが使用される場合、第２のトランスポートブロックに対するＡＣＫと第３のトランスポートブロックに対するＡＣＫとをＡＣＫとして共同表現し、第２のトランスポートブロック及び第３のトランスポートブロックに対するＡＣＫ−ＮＡＣＫ、ＮＡＣＫ−ＡＣＫ及びＮＡＣＫ−ＮＡＣＫの組み合わせをそれぞれＮＡＣＫとして共同表現するように構成される。
・ＵＥ１２１は、４つの情報トランスポートブロックが使用される場合、第１のトランスポートブロックに対するＡＣＫと第４のトランスポートブロックに対するＡＣＫとをＡＣＫとして共同表現し、第１のトランスポートブロック及び第４のトランスポートブロックに対するＡＣＫ−ＮＡＣＫ、ＮＡＣＫ−ＡＣＫ及びＮＡＣＫ−ＮＡＣＫの組み合わせをそれぞれＮＡＣＫとして共同表現するように構成される。
【０１０５】
本明細書中で提供する実施形態の説明は例示のために提示された。説明は、完全なものであること又は開示される正確な形態に実施形態を限定することを意図せず、変更及び変形は上記の教示から可能であり、あるいは、提供される実施形態の種々の代替例の実施から得られてもよい。本明細書中で説明する例は、種々の実施形態の原理及び特性を説明するために選択され且つ説明され、当業者が種々の方法で種々の変更を用いて実施形態を利用できるようにする実際の適用は、考えられる特定の使用に適する。本明細書中で説明する実施形態の特徴は、方法、装置、モジュール、システム及びコンピュータプログラム製品の全ての可能な組み合わせで組み合わされてもよい。本明細書中で提示する実施形態は、どのような組み合わせで実施されてもよいことが理解されるべきである。
【０１０６】
尚、「含む」は、列挙される要素又はステップ以外の要素又はステップの存在を必ずしも除外せず、要素が単数形であることは、複数のそのような要素の存在を除外しない。更に、図中符号は特許請求の範囲を限定せず、実施形態はハードウェア及びソフトウェアの双方により少なくとも部分的に実現されてもよく、いくつかの「手段」、「ユニット」又は「装置」がハードウェアの同一の項目により表されてもよい。
【０１０７】
本明細書中で使用される用語「装置」は、インターネット／イントラネット接続、ウェブブラウザ、オーガナイザ、カレンダー、カメラ（例えば、動画及び／又は静止画カメラ）、録音装置（例えば、マイク）及び／又は全地球測位システム（ＧＰＳ）受信機の機能を有する無線電話、セルラ無線電話とデータ処理とを組み合わせてもよいパーソナル通信システム（ＰＣＳ）端末、無線電話又は無線通信システムを含むことができるパーソナルデジタルアシスタント（ＰＤＡ）、ラップトップ、通信機能を有するカメラ（例えば、動画及び／又は静止画カメラ）、並びに、パーソナルコンピュータ、家庭用娯楽システム、テレビ等の送受信機能を有する他の何らかの計算又は通信装置を含むと広義に解釈されるべきである。
【０１０８】
測定又は記録ユニットであるユーザ機器に主に関して説明したが、「ユーザ機器」は、ＤＬで受信でき且つＵＬで送信できるあらゆる無線装置又はノード（例えば、ＰＤＡ、ラップトップ、携帯電話、センサ、固定中継器、移動中継器、あるいは例えばフェムト基地局である無線基地局）を意味する非限定的用語であることが当業者には理解されるべきである。
【０１０９】
セルは無線ノードに関連付けられ、実施形態の説明において交換可能に使用される無線ノード又は無線ネットワークノード又はｅＮｏｄｅＢは、一般的な意味で、例えばｅＮｏｄｅＢ、マクロ／マイクロ／ピコ基地局、ホームｅＮｏｄｅＢ、中継局、ビーコン装置又はリピータである測定に使用される無線信号を送信する何らかのノードを含む。本明細書中の無線ノードは、１つ以上の周波数又は周波数帯域において動作する無線ノードを含んでもよい。これは、ＣＡが可能な無線ノードであってもよい。これは、シングルＲＡＴノード又はマルチＲＡＴノードであってもよい。マルチＲＡＴノードは、共に配置されたＲＡＴを有するか又はマルチスタンダード無線（ＭＳＲ）をサポートするノード、あるいは混合無線ノードを含んでもよい。
【０１１０】
本明細書中で説明する種々の実施形態は、方法ステップ又は処理の一般的な文脈で説明され、それらは、一態様において、ネットワーク化された環境でコンピュータにより実行されるプログラムコード等のコンピュータ実行可能命令を含むコンピュータ可読媒体において実現されるコンピュータプログラム製品により実現されてもよい。コンピュータ可読媒体は、読み出し専用メモリ（ＲＯＭ）、ランダムアクセスメモリ（ＲＡＭ）、コンパクトディスク（ＣＤ）、デジタル多目的ディスク（ＤＶＤ）等を含むがそれらに限定されない取外し可能記憶装置及び取外し不能記憶装置を含んでもよい。一般に、プログラムモジュールは、特定のタスクを実行するか又は特定の抽象データ型を実現するルーチン、プログラム、オブジェクト、構成要素、データ構造等を含んでもよい。コンピュータ実行可能命令、関連するデータ構造及びプログラムモジュールは、本明細書中で開示する方法のステップを実行するプログラムコードの例を表す。そのような実行可能命令又は関連するデータ構造の特定のシーケンスは、そのようなステップ又は処理において説明する機能を実現する対応する動作の例を表す。
【０１１１】
図１５は、一実施形態に係るコンピュータによる実現例１０００の一例を概略的に示すブロック図である。コンピュータによる実現例１０００全体は、基本的に、処理回路又は処理回路網１００２と、コンピュータプログラム１００４を格納するように構成されたメモリ１００３とを備える。本例において、コンピュータプログラム１００４は、処理回路１００２により実行される場合に、マルチアンテナ無線通信システムにおいてハイブリッド自動再送要求（ＨＡＲＱ）確認応答（ＡＣＫ／ＮＡＣＫ）を符号化するように構成される。
【０１１２】
本例において、コンピュータプログラム１００４は、
・３つ以上の情報トランスポートブロックが使用される場合、情報トランスポートブロックに応答して送出されるＨＡＲＱ−ＡＣＫ／ＮＡＣＫと別の情報トランスポートブロックに応答して送出されるＨＡＲＱ−ＡＣＫ／ＮＡＣＫとをバンドル又は共同表現するように構成されたコンピュータプログラムコードと、
・バンドルＨＡＲＱ−ＡＣＫ／ＮＡＣＫ情報を符号化するように構成されたコンピュータプログラムコードと、
を備える。
【０１１３】
上記に概略を示したコンピュータプログラムを含むメモリ１００３等のコンピュータ可読媒体において実現されるコンピュータプログラム製品が更に提供される。
【０１１４】
本明細書中の実施形態は、上述した好適な実施形態に限定されない。種々の代替例、変更及び等価物が使用されてもよい。従って、上記の実施形態は限定的であると解釈されるべきでない。更なる情報及び追加の実施形態は、添付の付録において見られる。
【０１１５】
開示される実施形態の変更例及び他の実施形態は、前述の説明及び関連する図面において提示される教示の利点を有する当業者により着想されるだろう。従って、実施形態は開示される特定の実施形態に限定されず、変更及び他の実施形態は本開示の範囲内に含まれることを意図することが理解されるべきである。特定の用語が本明細書中で使用されるが、それらは一般的な意味及び説明的な意味で使用されるにすぎず、限定するために使用されない。
0005974182.tif 000006
0005974182.tif 000007
0005974182.tif 000008
0005974182.tif 000009
0005974182.tif 000010
0005974182.tif 000011
0005974182.tif 000012
0005974182.tif 000013
0005974182.tif 000014
0005974182.tif 000015
0005974182.tif 000016
0005974182.tif 000017
0005974182.tif 000018
0005974182.tif 000019
0005974182.tif 000020
0005974182.tif 000021
0005974182.tif 000022
0005974182.tif 000023
0005974182.tif 000024
0005974182.tif 000025
0005974182.tif 000026
0005974182.tif 000027
0005974182.tif 000028
0005974182.tif 000029
0005974182.tif 000030
0005974182.tif 000031
0005974182.tif 000032
0005974182.tif 000033
0005974182.tif 000034
0005974182.tif 000035
0005974182.tif 000036
0005974182.tif 000037
0005974182.tif 000038
0005974182.tif 000039
0005974182.tif 000040
0005974182.tif 000041
0005974182.tif 000042
0005974182.tif 000043
0005974182.tif 000044
0005974182.tif 000045
0005974182.tif 000046
0005974182.tif 000047
【図１】
0005974182.tif 000052
【図２】
0005974182.tif 000053
【図３】
0005974182.tif 000054
【図４】
0005974182.tif 000055
【図５】
0005974182.tif 000056
【図６】
0005974182.tif 000057
【図７Ａ】
0005974182.tif 000058
【図７Ｂ】
0005974182.tif 000059
【図８】
0005974182.tif 000060
【図９】
0005974182.tif 000061
【図１０】
0005974182.tif 000062
【図１１】
0005974182.tif 000063
【図１２】
0005974182.tif 000064
【図１３】
0005974182.tif 000065
【図１４】
0005974182.tif 000066
【図１５】
0005974182.tif 000067